(57)【要約】      （修正有）【課題】ボイスコイルモータの高さを低減し、かつマグネットの大きさを減らすことで総重量を軽減すると共に製造コストを節減する。【解決手段】ヘッドスタックアセンブリー４０はアクチュエータアーム４３と、ヘッドスタックアセンブリーの一端部でアクチュエータアームによって支持される読み取り／書き込みヘッドと、ヘッドスタックアセンブリーの他端部を構成してアクチュエータアームと一体に設けられるが、ヘッドスタックアセンブリーの回転軸を中心にアクチュエータアームの反対側に設けられるボビン４５と、ボビンに結合され、コンダクティブパターンが設けられた基板を備える印刷回路基板５０と、を含む。【選択図】図６
2008146820.tif 000002
【特許請求の範囲】
【請求項１】
アクチュエータアームと、
ヘッドスタックアセンブリーの一端部で前記アクチュエータアームによって支持される読み取り／書き込みヘッドと、
前記ヘッドスタックアセンブリーの他端部を構成して前記アクチュエータアームと一体に設けられるが、前記ヘッドスタックアセンブリーの回転軸を中心に前記アクチュエータアームの反対側に設けられるボビンと、
前記ボビンに結合され、コンダクティブパターンが設けられた基板を備える印刷回路基板と、を含むことを特徴とするヘッドスタックアセンブリー。
【請求項２】
前記印刷回路基板は、柔軟性印刷回路基板であることを特徴とする請求項１に記載のヘッドスタックアセンブリー。
【請求項３】
前記コンダクティブパターンは、
互いに平行に延びて互いに平行に電気的に連結される少なくとも一つの一連のコンダクティブトレースを含むことを特徴とする請求項１に記載のヘッドスタックアセンブリー。
【請求項４】
前記コンダクティブトレースは、前記ヘッドスタックアセンブリーの前記回転軸に対しておおよそ半径方向に延びることを特徴とする請求項３に記載のヘッドスタックアセンブリー。
【請求項５】
前記印刷回路基板は、“Ｕ”字状であり、
前記印刷回路基板は、
前記ヘッドスタックアセンブリーの前記回転軸に対して半径方向に延びる広幅部と、
前記ヘッドスタックアセンブリーの前記回転軸に対しておおよそ半径方向に延びるが、前記広幅部と離れて配置される狭幅部と、
前記広幅部と前記狭幅部とを連結し、前記ヘッドスタックアセンブリーの前記回転軸を中心におおよそアーク状を有する連結部と、を含み、
前記一連のコンダクティブトレースは、前記印刷回路基板の前記広幅部に沿って延び、前記一連のコンダクティブトレースは、前記ヘッドスタックアセンブリーの前記回転軸と同一中心方向で測定される時、前記狭幅部の全幅よりさらに大きな全幅を有することを特徴とする請求項４に記載のヘッドスタックアセンブリー。
【請求項６】
前記印刷回路基板は、前記広幅部及び前記狭幅部の各端部に電極端子を有することを特徴とする請求項５に記載のヘッドスタックアセンブリー。
【請求項７】
前記コンダクティブパターンは、
それぞれが互いに平行に延び、互いに電気的に連結されるコンダクティブパターンの第１トレース及び第２トレースと、
前記コンダクティブパターンの第１トレース及び第２トレースを電気的に連結する一連の連結部と、を含むことを特徴とする請求項１に記載のヘッドスタックアセンブリー。
【請求項８】
前記第１及び第２コンダクティブパターンのそれぞれの前記コンダクティブトレースは、前記ヘッドスタックアセンブリーの前記回転軸に対しておおよそ半径方向に延びることを特徴とする請求項７に記載のヘッドスタックアセンブリー。
【請求項９】
前記印刷回路基板は、“Ｕ”字状であり、
前記印刷回路基板は、
前記ヘッドスタックアセンブリーの前記回転軸に対して半径方向に延びる第１広幅部と、
前記ヘッドスタックアセンブリーの前記回転軸に対しておおよそ半径方向に延びるが、前記第１広幅部と離れて配置される第２広幅部と、
前記広幅部を連結し、前記ヘッドスタックアセンブリーの前記回転軸を中心におおよそアーク状を有する連結部と、を含み、
前記第１及び第２コンダクティブパターンは、それぞれ前記印刷回路基板の前記第１及び第２広幅部に沿って延びることを特徴とする請求項８に記載のヘッドスタックアセンブリー。
【請求項１０】
前記印刷回路基板は、前記第１広幅部及び前記第２広幅部の各端部に電極端子を有することを特徴とする請求項９に記載のヘッドスタックアセンブリー。
【請求項１１】
ベースと、
少なくとも一つのディスクと、前記ディスクが装着されるスピンドルモーターと、を備え、前記ベースに装着されるディスクパックと、
アクチュエータアームと、ヘッドスタックアセンブリーの一端部で前記アクチュエータアームによって支持される読み取り／書き込みヘッドと、前記ヘッドスタックアセンブリーの他端部を構成して前記アクチュエータアームと一体に設けられるが、前記ヘッドスタックアセンブリーの回転軸を中心に前記アクチュエータアームの反対側に設けられるボビンと、前記ボビンに結合されてコンダクティブパターンが設けられた基板を有する印刷回路基板を備え、回転軸を中心に回転できるように前記ベースに装着されるヘッドスタックアセンブリーと、
前記ボビンの上部及び下部にそれぞれ配置されて前記ヘッドスタックアセンブリーの前記ボビンに付着された前記印刷回路基板の前記コンダクティブパターンに沿って電流が流れる場合、前記回転軸に対して前記ヘッドスタックアセンブリーを回転させる起電力が発生するように前記コンダクティブパターンを横切って磁場を発生させる一対のマグネットを備える前記ベースに固定結合されるＶＣＭブロックと、を含むことを特徴とするハードディスクドライブ。
【請求項１２】
前記印刷回路基板は、柔軟性印刷回路基板であることを特徴とする請求項１１に記載のハードディスクドライブ。
【請求項１３】
前記コンダクティブパターンは、
互いに平行に延びて互いに平行に電気的に連結される少なくとも一つの一連のコンダクティブトレースを含むことを特徴とする請求項１１に記載のハードディスクドライブ。
【請求項１４】
前記コンダクティブトレースは、前記ヘッドスタックアセンブリーの前記回転軸に対しておおよそ半径方向に延びることを特徴とする請求項１３に記載のハードディスクドライブ。
【請求項１５】
前記印刷回路基板は、“Ｕ”字状であり、
前記印刷回路基板は、
前記ヘッドスタックアセンブリーの前記回転軸に対して半径方向に延びる広幅部と、
前記ヘッドスタックアセンブリーの前記回転軸に対しておおよそ半径方向に延びるが、前記広幅部と離れて配置される狭幅部と、
前記広幅部と前記狭幅部とを連結し、前記ヘッドスタックアセンブリーの前記回転軸を中心におおよそアーク状を有する連結部と、を含み、
前記一連のコンダクティブトレースは、前記印刷回路基板の前記広幅部に沿って延び、前記一連のコンダクティブトレースは、前記ヘッドスタックアセンブリーの前記回転軸と同一中心方向で測定される時、前記狭幅部の全幅よりさらに大きな全幅を有し、
前記一対のマグネットそれぞれは一つの磁極から構成され、前記ボビンの上部に配置される前記マグネットの極性は、前記ボビンの下部に配置される前記マグネットの極性と反対であることを特徴とする請求項１４に記載のハードディスクドライブ。
【請求項１６】
前記印刷回路基板は、前記広幅部及び前記狭幅部の各端部に電極端子を有することを特徴とする請求項１５に記載のハードディスクドライブ。
【請求項１７】
前記コンダクティブパターンは、
それぞれが互いに平行に延び、互いに電気的に連結されるコンダクティブパターンの第１トレース及び第２トレースと、
前記コンダクティブパターンの第１トレース及び第２トレースを電気的に連結する一連の連結部と、を含むことを特徴とする請求項１１に記載のハードディスクドライブ。
【請求項１８】
前記第１及び第２コンダクティブパターンのそれぞれの前記コンダクティブトレースは、前記ヘッドスタックアセンブリーの前記回転軸に対しておおよそ半径方向に延びることを特徴とする請求項１７に記載のハードディスクドライブ。
【請求項１９】
前記印刷回路基板は、“Ｕ”字状であり、
前記印刷回路基板は、
前記ヘッドスタックアセンブリーの前記回転軸に対して半径方向に延びる第１広幅部と、
前記ヘッドスタックアセンブリーの前記回転軸に対しておおよそ半径方向に延びるが、前記第１広幅部と離れて配置される第２広幅部と、
前記広幅部を連結し、前記ヘッドスタックアセンブリーの前記回転軸を中心におおよそアーク状を有する連結部と、を含み、
前記第１及び第２コンダクティブパターンは、それぞれ前記印刷回路基板の前記第１及び第２広幅部に沿って延び、
前記一対のマグネットそれぞれは、順次に配置される反対の磁極を有し、前記ボビンの上部に配置される前記マグネットの磁極のそれぞれは、前記ボビン下部に配置される前記マグネットの極性と反対の磁極であることを特徴とする請求項１８に記載のハードディスクドライブ。
【請求項２０】
前記印刷回路基板は、前記第１広幅部及び前記第２広幅部の各端部に電極端子を有することを特徴とする請求項１９に記載のハードディスクドライブ。
【発明の詳細な説明】
【技術分野】
【０００１】
本発明は、ヘッドスタックアセンブリー及びそれを備えたハードディスクドライブに係り、より詳細には、従来よりボイスコイルモーター（ＶＣＭ）の高さをさらに低減することができ、かつ精緻な製作が可能であるため、向上した性能を具現できるヘッドスタックアセンブリー及びそれを備えたハードディスクドライブに関する。
【背景技術】
【０００２】
ハードディスクドライブ（Ｈａｒｄ  Ｄｉｓｋ  Ｄｒｉｖｅ：以下、ＨＤＤ）は、読み取り／書き込みヘッド（ｒｅａｄ／ｗｒｉｔｅ  ｈｅａｄ）を使ってディスクに／からデータを記録／再生する装置であって、大量のデータに高速でアクセスするためにコンピュータシステムの補助記憶装置などとして現在広く使われている。このようなＨＤＤは、最近高いＴＰＩ（Ｔｒａｃｋ  Ｐｅｒ  Ｉｎｃｈ：インチ当りトラック数）及び高いＢＰＩ（Ｂｉｔｓ  Ｐｅｒ  Ｉｎｃｈ：インチ当りビット数）の具現で高容量化されており、その適用領域も拡がっている実情である。これにより、最近にはノート型パソコン、ＰＤＡ、携帯電話など携帯可能な電子製品に使われうる小型ＨＤＤに対する開発が活発に進行されているが、実際に最近、直径２．５インチのＨＤＤが開発されてノート型パソコンなどに既に適用されており、これよりさらに小型である０．８５インチでほぼコインサイズの小型ＨＤＤに対する研究開発が活発に進行しつつあり、携帯電話やＭＰ３などにも既に一部採択されているか、採択される予定である。
【０００３】
図１及び図２を参照して、従来の一実施形態によるＨＤＤの構造に対して簡略に見れば、従来の一実施形態によるＨＤＤ１０１は、データの記録のためのディスク１１１とディスク１１１をシャフト１１３に対して回転させるスピンドルモーター（図示せず）を備えるディスクパック１１０と、ディスク１１１に／からデータを記録／再生するための読み取り／書き込みヘッド１４１を有するヘッドスタックアセンブリー１４０（Ｈｅａｄ  Ｓｔａｃｋ  Ａｓｓｅｍｂｌｙ：ＨＳＡ、）と、ヘッドスタックアセンブリー１４０を回動させるボイスコイルモーター（図示せず、Ｖｏｉｃｅ  Ｃｏｉｌ  Ｍｏｔｏｒ：ＶＣＭ）と、これらが装着されるベース１９０とを備える。
【０００４】
このうち、ヘッドスタックアセンブリー１４０は、ボイスコイルモーター（ＶＣＭ）によって回転軸１４２を中心に回動するが、このようなヘッドスタックアセンブリー１４０は、ディスク１１１上に／からデータを書き込み／読み取りするための読み取り／書き込みヘッド１４１と、読み取り／書き込みヘッド１４１がディスク１１１上のデータをアクセスできるように回転軸１４２を軸心としてディスク１１１上を旋回するアクチュエータアーム１４３と、アクチュエータアーム１４３の端部に結合されたサスペンション（図示せず、Ｓｕｓｐｅｎｓｉｏｎ）と、回転軸１４２を中心とする回転が可能なように支持し、アクチュエータアーム１４３が結合されて支持される回転軸ホルダー１４４と、回転軸ホルダー１４４でアクチュエータアーム１４３の反対方向に設けられるが、アクチュエータアーム１４３と一体に設けられるボビン１４５とを備える。
【０００５】
ボイスコイルモーター（ＶＣＭ）は、アクチュエータアーム１４３を回転させて読み取り／書き込みヘッド１４１をディスク１１１上の所望の位置に移動させる。このようなボイスコイルモーターは、ボビン１４５の周りに巻線されるボイスコイル１５０と、ボイスコイル１５０の上下部に配置される一対のマグネット１６１と、一対のマグネット１６１がそれぞれ結合されるＶＣＭヨーク（図示せず）とを備える。ＶＣＭヨークは、マグネット１６１によって形成される磁場の磁束を一定の方向に集中させる役割を担当する。すなわち、ボイスコイルモーターは、フレミングの左手の法則によって作動し、これにより磁場内でボイスコイル１５０に沿って電流が流れる場合、起電力がボイスコイル１５０上に発生する。
【０００６】
図２を参照すれば、ボイスコイル１５０のＡ及びＢ領域に互いに反対の方向に電流が流れる。マグネット１６１の極性は、中央線である点線Ｃを基準に磁束の方向が互いに反対となるように設けられる。また、点線Ｃは、ヘッドスタックアセンブリー１４０の回転全範囲をカバーできるようにＡ及びＢ領域の中間に位置する。したがって、ボイスコイル１５０のＡ及びＢ領域に加えられる起電力は、同じ方向に作用できる。しかし、点線Ｃを基準に他の磁極を有するようにマグネット１６１を製作することは容易ではない。
【０００７】
また、前述したように、マグネット１６１が結合されるＶＣＭヨークは、ボビン１４５が移動されうる全体の空間をカバーしなければならない。また、ボビン１４５の上面の前部分にボイスコイル１５０が巻線されるために、マグネット１６１を相対的に大きく設けなければならない。さらに、ボイスコイル１５０の厚さによって一対のマグネット１６１の間に相対的に大きい間隔が発生し、これによりＨＤＤ１０１のサイズ及び厚さを小型化するのに限界がある。
【発明の開示】
【発明が解決しようとする課題】
【０００８】
本発明の目的は、従来よりボイスコイルモーター（ＶＣＭ）の高さをさらに低減することができ、かつ精緻な製作が可能であるため、向上した性能が得られ、マグネットの大きさを減らすことにより、総重量を減少させると共に製造コストを節減させうるヘッドスタックアセンブリー及びそれを備えたＨＤＤを提供することである。
【０００９】
また、本発明の他の目的は、従来よりボイスコイルモーター（ＶＣＭ）の高さをさらに低減することができ、かつ精緻な製作が可能であるため、向上した性能を得られうるヘッドスタックアセンブリー及びそれを備えたＨＤＤを提供することである。
【課題を解決するための手段】
【００１０】
前記目的は、本発明によって、アクチュエータアームと、ヘッドスタックアセンブリーの一端部で前記アクチュエータアームによって支持される読み取り／書き込みヘッドと、  前記ヘッドスタックアセンブリーの他端部を構成して前記アクチュエータアームと一体に設けられるが、前記ヘッドスタックアセンブリーの回転軸を中心に前記アクチュエータアームの反対側に設けられるボビンと、前記ボビンに結合され、コンダクティブパターン（ｃｏｎｄｕｃｔｉｖｅ  ｐａｔｔｅｒｎ）が設けられた基板を備える印刷回路基板と、を含むヘッドスタックアセンブリーによって達成される。
【００１１】
ここで、前記印刷回路基板は、柔軟性印刷回路基板（Ｆｌｅｘｉｂｌｅ  Ｐｒｉｎｔｅｄ  Ｃｉｒｃｕｉｔ  Ｂｏａｒｄ：ＦＰＣＢ）であり得る。
【００１２】
前記コンダクティブパターンは、互いに平行に延びて互いに平行に電気的に連結される少なくとも一つの一連のコンダクティブトレースを含みうる。
前記コンダクティブトレースは、前記ヘッドスタックアセンブリーの前記回転軸に対しておおよそ半径方向に延びることができる。
【００１３】
前記印刷回路基板は、“Ｕ”字状であり、前記印刷回路基板は、前記ヘッドスタックアセンブリーの前記回転軸に対して半径方向に延びる広幅部と、前記ヘッドスタックアセンブリーの前記回転軸に対しておおよそ半径方向に延びるが、前記広幅部と離れて配置される狭幅部と、前記広幅部と前記狭幅部とを連結し、前記ヘッドスタックアセンブリーの前記回転軸を中心におおよそアーク状を有する連結部と、を含み、前記一連のコンダクティブトレースは、前記印刷回路基板の前記広幅部に沿って延び、前記一連のコンダクティブトレースは、前記ヘッドスタックアセンブリーの前記回転軸と同一中心方向で測定される時、前記狭幅部の全幅よりさらに小さな全幅を有しうる。
【００１４】
前記印刷回路基板は、前記広幅部及び前記狭幅部の各端部に電極端子を有しうる。
前記コンダクティブパターンは、それぞれが互いに平行に延び、互いに電気的に連結されるコンダクティブパターンの第１トレース及び第２トレースと、一連的に前記コンダクティブパターンの第１トレース及び第２トレースを電気的に連結する連結部とを含みうる。
【００１５】
前記第１及び第２コンダクティブパターンのそれぞれの前記コンダクティブトレースは、前記ヘッドスタックアセンブリーの前記回転軸に対しておおよそ半径方向に延びることができる。
【００１６】
前記印刷回路基板は、前記ヘッドスタックアセンブリーの前記回転軸に対して半径方向に延びる第１広幅部と、前記ヘッドスタックアセンブリーの前記回転軸に対しておおよそ半径方向に延びるが、前記第１広幅部と離れて配置される第２広幅部と、前記広幅部を連結し、前記ヘッドスタックアセンブリーの前記回転軸を中心におおよそアーク状を有する連結部と、を含み、前記第１及び第２コンダクティブパターンは、それぞれ前記印刷回路基板の前記第１及び第２広幅部に沿って延びることができる。
前記印刷回路基板は、前記第１広幅部及び前記第２広幅部の各端部に電極端子を有しうる。
【００１７】
また、前記目的は、本発明によって、ベースと、少なくとも一つのディスクと、前記ディスクが装着されるスピンドルモーターとを備え、前記ベースに装着されるディスクパックと、アクチュエータアームと、ヘッドスタックアセンブリーの一端部で前記アクチュエータアームによって支持される読み取り／書き込みヘッドと、前記ヘッドスタックアセンブリーの他端部を構成して前記アクチュエータアームと一体に設けられるが、前記ヘッドスタックアセンブリーの回転軸を中心に前記アクチュエータアームの反対側に設けられるボビンと、前記ボビンに結合されてコンダクティブパターンが設けられた基板を有する印刷回路基板と、を備え、回転軸を中心に回転できるように前記ベースに装着されるヘッドスタックアセンブリーと、前記ボビンの上部及び下部にそれぞれ配置されて前記ヘッドスタックアセンブリーの前記ボビンに付着された前記印刷回路基板の前記コンダクティブパターンに沿って電流が流れる場合、前記回転軸に対して前記ヘッドスタックアセンブリーを回転させる起電力が発生するように前記コンダクティブパターンを横切って磁場を発生させる一対のマグネットを備える前記ベースに固定結合されるＶＣＭブロックと、を含むことを特徴とするＨＤＤによって達成される。
【００１８】
ここで、前記印刷回路基板は、柔軟性印刷回路基板（ＦＰＣＢ）であることが望ましい。
前記コンダクティブパターンは、互いに平行に延びて互いに平行に電気的に連結される少なくとも一つの一連のコンダクティブトレースを含みうる。
前記コンダクティブトレースは、前記ヘッドスタックアセンブリーの前記回転軸に対して半径方向に延びることが望ましい。
【００１９】
前記印刷回路基板は、“Ｕ”字状であり、前記印刷回路基板は、前記ヘッドスタックアセンブリーの前記回転軸に対して半径方向に延びる広幅部と、前記ヘッドスタックアセンブリーの前記回転軸に対しておおよそ半径方向に延びるが、前記広幅部と離れて配置される狭幅部と、前記広幅部と前記狭幅部とを連結し、前記ヘッドスタックアセンブリーの前記回転軸を中心におおよそアーク状を有する連結部と、を含み、前記一連のコンダクティブトレースは、柔軟性印刷回路基板の前記広幅部に沿って延び、前記一連のコンダクティブトレースは、前記ヘッドスタックアセンブリーの前記回転軸と同一中心方向で測定される時、前記狭幅部の全幅よりさらに小さな全幅を有し、前記一対のマグネットそれぞれは一つの磁極からなり、前記ボビンの上部に配置される前記マグネットの極性は、前記ボビンの下部に配置される前記マグネットの極性と反対でありうる。
【００２０】
前記印刷回路基板は、前記広幅部及び前記狭幅部の各端部に電極端子を有しうる。
前記コンダクティブパターンは、それぞれが互いに平行に延び、互いに電気的に連結されるコンダクティブパターンの第１トレース及び第２トレースと、一連的に前記コンダクティブパターンの第１トレース及び第２トレースを電気的に連結する連結部とを含みうる。
前記第１及び第２コンダクティブパターンのそれぞれの前記コンダクティブトレースは、前記ヘッドスタックアセンブリーの前記回転軸に対しておおよそ半径方向に延びることができる。
【００２１】
前記印刷回路基板は、“Ｕ”字状であり、前記印刷回路基板は、前記ヘッドスタックアセンブリーの前記回転軸に対して半径方向に延びる第１広幅部と、前記ヘッドスタックアセンブリーの前記回転軸に対しておおよそ半径方向に延びるが、前記第１広幅部と離れて配置される第２広幅部と、前記広幅部を連結し、前記ヘッドスタックアセンブリーの前記回転軸を中心におおよそアーク状を有する連結部と、を含み、前記第１及び第２コンダクティブパターンは、それぞれ前記印刷回路基板の前記第１及び第２広幅部に沿って延び、前記一対のマグネットそれぞれは、順次に配置される反対の磁極を有し、前記ボビンの上部に配置される前記マグネットの磁極のそれぞれは、前記ボビン下部に配置される前記マグネットの極性と反対の磁極と対応しうる。
前記印刷回路基板は、前記第１広幅部及び前記第２広幅部の各端部に電極端子を有しうる。
【発明の効果】
【００２２】
本発明によれば、従来よりボイスコイルモーター（ＶＣＭ）の高さを低減することができ、かつ精緻な製作が可能であるため、向上した性能が得られ、マグネットの大きさを減らすことで、総重量を減少させると共に製造コストを節減させうる。
【発明を実施するための最良の形態】
【００２３】
本発明と本発明の動作上の利点及び本発明の実施によって達成される目的を十分に理解するためには、本発明の望ましい実施形態を例示する添付図面及び添付図面に記載された内容を参照しなければならない。
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
図３は、本発明の一実施形態によるＨＤＤの分解斜視図であり、図４は、図３の平面図であり、図５は、図３の要部拡大斜視図であり、図６は、図５に図示されたヘッドスタックアセンブリーのボビンにボンディング結合されたＦＰＣＢ及びマグネットの構造を説明するための図面であり、図７は、図５に図示されたＦＰＣＢの平面図である。
【００２６】
これら図面に図示されたように、本発明の一実施形態によるＨＤＤ１は、ディスクパック１０と、印刷回路基板組立体２０（Ｐｒｉｎｔｅｄ  Ｃｉｒｃｕｉｔ  Ｂｏａｒｄ  Ａｓｓｅｍｂｌｙ：ＰＣＢＡ）と、カバー３０と、ヘッドスタックアセンブリー４０と、ＶＣＭブロック６０と、カバー３０が結合されるベース９０とを含む。ベース９０は、ディスクパック１０と、印刷回路基板組立体２０と、ＶＣＭブロック６０とを支持する。カバー３０は、ディスクパック１０とヘッドスタックアセンブリー４０とを保護する。
【００２７】
ディスクパック１０は、ディスク１１の回転軸心を形成するシャフト１３と、シャフト１３の半径方向外側に設けられてディスク１１を支持するスピンドルモーターハブ（図示せず）と、スピンドルモーターハブを回転させるスピンドルモーター（図示せず）と、スピンドルモーターハブの上部に結合されるクランプ１５と、クランプ１５を加圧してディスク１１をスピンドルモーターハブに固定させるクランプスクリュー（図示せず）とを備える。
【００２８】
印刷回路基板組立体２０（ＰＣＢＡ）は、板上の印刷回路基板（図示せず、ＰＣＢ）と、印刷回路基板の一側に設けられる印刷回路基板コネクタ２１（ＰＣＢ  Ｃｏｎｎｅｃｔｏｒ）とを備える。印刷回路基板には、ディスク及び読み取り／書き込みヘッド４１を制御するように多数のチップ（図示せず）と回路とが備えられており、印刷回路基板コネクタ２１を通じて外部と信号を送受信する。
【００２９】
ヘッドスタックアセンブリー４０は、ディスク１１上にデータを記録するか記録されたデータを読出すための運搬体であって、ディスク１１上に／からデータを書き込み／読み取りするための読み取り／書き込みヘッド４１と、読み取り／書き込みヘッド４１がディスク１１上のデータをアクセスできるように回転軸４２を軸心としてディスク１１上を旋回するアクチュエータアーム４３と、アクチュエータアーム４３の端部に結合されたサスペンション（図示せず）と、回転軸４２を回転が可能なように支持し、アクチュエータアーム４３が結合されて支持される回転軸ホルダー４４と、回転軸ホルダー４４でアクチュエータアーム４３の反対方向に設けられるが、アクチュエータアーム４３と一体に設けられるボビン４５とを備える。また、ヘッドスタックアセンブリー４０は、ボビン４５に装着される柔軟性印刷回路基板５０（ＦＰＣＢ）を備える。
【００３０】
読み取り／書き込みヘッド４１は、ディスク１１の表面に形成された磁界を感知するかディスク１１の表面を磁化させることで回転するディスク１１から情報を読み取るか、または記録する役割を担当する。このような読み取り／書き込みヘッド４１は、自らデータの読出と記録とを行うために、ディスク１１の磁界を感知するための読み取りヘッドとディスク１１を磁化させるための書き込みヘッドとから構成されている。
【００３１】
ＶＣＭブロック６０と柔軟性印刷回路基板５０は、読み取り／書き込みヘッド４１をディスク１１上の所望の位置に移動させるためにアクチュエータアーム４３を回動させるボイスコイルモーター（ＶＣＭ）を構成する。ＶＣＭブロック６０は、図３及び図５に図示されたように、ベース９０に結合される上部及び下部ＶＣＭヨーク６３、６４と、ボビン４５を挟んで上部及び下部ＶＣＭヨーク６３、６４に支持結合される一対のマグネット６１とを備える。より詳細には、一つのマグネット６１は、ボビン４５の上部に位置するように上部ＶＣＭヨーク６３の下面に結合され、他の一つのマグネット６１は、ボビン４５の下部に位置するように下部ＶＣＭヨーク６４の上面に結合される。上部及び下部ＶＣＭヨーク６３、６４は、一対のマグネット６１を支持するだけでなく、ボビン４５及び柔軟性印刷回路基板５０が位置する空間にマグネット６１によって形成される磁場が限定されるようにする。また、上部及び下部ＶＣＭヨーク６３、６４の両側部には、スクリューが結合されうるネジ孔６５が形成されており、ベース９０にはこれらネジ孔６５に対応するネジ溝６６が形成されており、マグネット６１を固定支持するＶＣＭヨーク６３、６４はベース９０に堅固に固定支持されうる。
【００３２】
柔軟性印刷回路基板５０は、ボビン４５の一面に付着されるフレキシブルな基板と、基板によって支持されて電流が流れるコンダクティブパターンとを備える。このようなＦＰＣＢ５０は、ボビン４５の上面に接着剤などを用いてボンディング結合される。このようなコンダクティブパターンは、エッチングまたはパンチング工程によって基板上にパターン化されうる。前述したように、ボイスコイルモーターは、フレミングの左手の法則によって作動される。すなわち、起電力は、マグネット６１によって生ずる磁場内でコンダクティブパターンに沿って電流が流れる時、柔軟性印刷回路基板５０上に発生する。柔軟性印刷回路基板５０が付着されたボビン４５でヘッドスタックアセンブリー４０が回転する方向に起電力が作用し、これによりディスク１１の所望の領域に読み取り／書き込みヘッド４１が移動されうる。
【００３３】
柔軟性印刷回路基板５０は、図６及び図７に詳しく図示されたように、ボビン４５の外郭ラインと類似した‘Ｕ’字状を有し、コンダクティブパターンのトレース５１がパターン化された広幅部５２と、広幅部５２に離れて配置されるが、電流が流れる電流経路が形成されている狭幅部５３と、広幅部５２のトレース５１と狭幅部５３の電流経路とを電気的に連結できるように、狭幅部５３の電流経路と実質的に同一の電流経路が形成されている連結部５４とを備える。狭幅部５３に形成された電流経路は、広幅部５２に形成されたトレース５１より幅が狭い。このようなＦＰＣＢ５０の両端部には、それぞれＦＰＣＢ５０にパターン化されているトレース５１及び電流経路に電流を引き込み及び引き出す電極端子５６、５７が形成されている。
【００３４】
トレース５１は、柔軟性印刷回路基板５０の広幅部５２の長手方向に沿って互いに並んで配列されるが、広幅部５２の幅方向に沿って一定間隔に配列される。トレース５１は、また互いに隣接したものどうしで並列式に連結される。トレース５１の数は、ヘッドスタックアセンブリー４０を回転させるための起電力の大きさに比例するように設けられる。すなわち、起電力は、ファラデーの法則によって計算されうる。
【００３５】
【数１】
2008146820.tif 000003
【００３６】
ここで、εは起電力であり、Ｎはコイル、すなわち、トレース５１の巻線数であり、ｄΦ／ｄｔは時間変化による磁気線束の変化量を言う。したがって、マグネット６１によって生ずる磁場内でコンダクティブパターンのトレース５１によって発生する起電力は、トレース５１の数に比例する。また、多数の柔軟性印刷回路基板５０は、さらに大きい起電力を提供するために一対のマグネット６１の間に位置するボビン４５の上面に高さ方向に積層されうる。それぞれの柔軟性印刷回路基板５０のトレース５１の数と高さ方向に積層される柔軟性印刷回路基板５０の数は、起電力がヘッドスタックアセンブリー４０をより柔軟に回転させるように考案されうる。
【００３７】
図６を参照すれば、ボビン４５の上下部に位置する一対のマグネット６１のそれぞれは、一つの磁極を有するが、互いに反対の磁極を有する。したがって、フレミングの左手の法則によって、起電力は、トレース５１に沿って流れる電流の方向と一致する方向にコンダクティブパターン上で作用する。ヘッドスタックアセンブリー４０は、狭幅部５３の端部に設けられた電極端子５７で柔軟性印刷回路基板５０に電流が供給される時、回転軸４２を中心に一方向に回転できる。一方、ヘッドスタックアセンブリー４０は、広幅部５２の端部に設けられた電極端子５６で柔軟性印刷回路基板５０に電流が供給される時、回転軸４２を中心に他の方向に回転できる。
【００３８】
また、図６に図示されたように、一対のマグネット６１は、ヘッドスタックアセンブリー４０が回転する間、広幅部５２が移動する空間に限って設けられる。すなわち、従来と異なって、本実施形態のマグネット６１は、ボビン４５が移動する全体空間に一対のマグネット６１が設けられる必要がない。したがって、マグネット６１は、従来に比べて半分に縮小されうる。これにより、本実施形態のＨＤＤ１の相対的な重さを減少させることができ、それぞれのマグネット６１が一つの磁極を有するために製造が容易であり、かつ製造コストを減らしうる。
【００３９】
そして、柔軟性印刷回路基板５０は、従来のＨＤＤ１０１のＶＣＭコイル１５０（図２参照）の厚さより薄い。したがって、本実施形態によれば、相対的に薄くてコンパクトなＨＤＤ１を具現できる。さらに、柔軟性印刷回路基板５０は耐熱性があるため、ＨＤＤ１の駆動時に発生する熱によって柔軟性印刷回路基板５０が損傷されることを抑制できる。このような観点で見ると、本実施形態の柔軟性印刷回路基板５０は、従来のＶＣＭコイル１５０に比べて優れた性能を提供できる。
【００４０】
以下では、添付された図面を参照して、本発明の他の実施形態によるＨＤＤについて説明する。但し、本発明の一実施形態と同じ部分については、その説明を省略する。
図８は、本発明の他の実施形態よるＨＤＤでヘッドスタックアセンブリーのボビンに結合されるＦＰＣＢ及びマグネットの構造を説明するための図面であり、図９は、図８に図示されたＦＰＣＢの平面図である。
【００４１】
これら図面に図示されたように、ヘッドスタックアセンブリー４０ａは、ボビン４５ａとボビン４５ａに付着される柔軟性印刷回路基板５０ａとを備える。柔軟性印刷回路基板５０ａは、第１広幅部５２ａと、第１広幅部５２ａと離れて配置される第２広幅部５２ｂと、第１広幅部５２ａ及び第２広幅部５２ｂを連結する連結部５４ａとを備える。第１広幅部５２ａは、コンダクティブパターンの第１トレース５１ａを備え、第１電極端子５６ａと第１トレース５１ａとは連結されている。また、第２広幅部５２ｂは、コンダクティブパターンの第２トレース５１ｂを備え、第２電極端子５７ａと第２トレース５１ｂとは連結されている。そして、連結部５４ａには、第１トレース５１ａ及び第２トレース５１ｂを電気的に連結する電流経路が設けられている。このような電流経路が設けられた連結部５４ａの幅は、第１及び第２トレース５１ａ、５１ｂがそれぞれ設けられた第１及び第２広幅部５２ａ、５２ｂの幅より狭く形成される。
【００４２】
ＶＣＭブロックは、ボビン４５ａの上下部にそれぞれ配置される一対のマグネット６１ａを備える。ボビン４５ａを挟んで上下領域に配置される一対のマグネット６１ａのうち、上部領域に配置されたマグネット６１ａは、その中央領域を基準に別の磁極の組み合わせで構成され、一対のマグネット６１ａのうち他の一つのマグネット６１ａもいずれか一つのマグネット６１ａが有する磁極と反対の磁極の組み合わせで構成される。図８を用いてより詳しく説明すれば、上部領域に配置されるマグネット６１ａが点線‘Ｄ’を基準に左側領域はＮ極、右側領域はＳ極に設定されて製作されるならば、下部領域に配置されるマグネット６１ａは、上部領域のマグネット６１ａと反対となる磁極の組み合わせ、すなわち、左側領域はＳ極、右側領域はＮ極に設定されて製作される。
【００４３】
したがって、第１及び第２電極端子５６ａ、５７ａを通じて柔軟性印刷回路基板５０ａに供給される電流は、第１及び第２トレース５１ａ、５１ｂで互いに反対方向に流れる。しかし、第１及び第２トレース５１ａ、５１ｂを横切ってマグネット６１ａによって提供される磁場は、それぞれ反対方向に形成される。したがって、電流が第１及び第２トレース５１ａ、５１ｂから反対方向に流れても起電力はヘッドスタックアセンブリー４０ａを一方向に回転させうる。また、それぞれのマグネット６１ａは、ヘッドスタックアセンブリー４０ａの回転を適切にコントロールするために第１及び第２トレース５１ａ、５１ｂが形成された柔軟性印刷回路基板５０ａの全体空間をカバーできるように設けられる。
【００４４】
このように、本実施形態によれば、柔軟性印刷回路基板５０ａが相対的に薄くて広く設けられるためにボイスコイルモーター（ＶＣＭ）を相対的に薄くすることができ、柔軟性印刷回路基板５０ａは耐熱性があり、ＨＤＤの駆動時に発生する熱による損傷を抑制できる長所がある。
【００４５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００４６】
本発明は、ヘッドスタックアセンブリー及びそれを備えたＨＤＤ関連の技術分野に適用可能である。
【図面の簡単な説明】
【００４７】
【図１】従来の一実施形態によるＨＤＤの構成を説明するための平面図である。
【図２】図１に図示されたヘッドスタックアセンブリーのボビンに巻線されたボイスコイル及びマグネットの構造を説明するための図面である。
【図３】本発明の一実施形態によるＨＤＤの分解斜視図である。
【図４】図３の平面図である。
【図５】図３の要部拡大斜視図である。
【図６】図５に図示されたヘッドスタックアセンブリーのボビンにボンディング結合されたＦＰＣＢ及びマグネットの構造を説明するための図面である。
【図７】図５に図示されたＦＰＣＢの平面図である。
【図８】本発明の他の実施形態よるＨＤＤでヘッドスタックアセンブリーのボビンに結合されるＦＰＣＢ及びマグネットの構造を説明するための図面である。
【図９】図８に図示されたＦＰＣＢの平面図である。
【符号の説明】
【００４８】
１：ＨＤＤ                              １０：ディスクパック
２０：印刷回路基板組立体                ３０：カバー
４０：ヘッドスタックアセンブリー        ４１：読み取り／書き込みヘッド
４２：回転軸                        ４３：アクチュエータアーム
４５：ボビン                            ５０：柔軟性印刷回路基板
５１：平面コイル                        ５２：広幅部
５３：狭幅部                            ５４：連結部
６０：ＶＣＭブロック                    ６１：マグネット
９０：ベース
【図１】
2008146820.tif 000004
【図２】
2008146820.tif 000005
【図３】
2008146820.tif 000006
【図４】
2008146820.tif 000007
【図５】
2008146820.tif 000008
【図６】
2008146820.tif 000009
【図７】
2008146820.tif 000010
【図８】
2008146820.tif 000011
【図９】
2008146820.tif 000012